(57)【特許請求の範囲】
【請求項１】
原料中澱粉及び／又は穀粉を３７．９質量％以上５０質量％以下含み、且つ、澱粉及び／又は穀粉１００質量部に対して、液状卵８質量部以上８５質量部以下、おから３質量部以上５０質量部以下及びグリセリン１０質量部以上２０質量部以下を含む原料を使用した犬用ボーロ。
【発明の詳細な説明】
【技術分野】
【０００１】
本発明は、犬用ボーロに関する。
【背景技術】
【０００２】
犬用ボーロは少なくとも澱粉、卵を原料として生地を調製し略球状に成形して焼成した小粒のカリッとした食感を特徴とする犬用のおやつである。
犬用のボーロとして、例えば、澱粉７５％と、ブドウ糖３％と、脱脂粉乳１．５１％と、重曹０．４％と、無塩バター１０％と、リモナイト微粉末と０．１％、液卵１０％とを含む混錬物を成型し、これを加熱乾燥し、得られた結果物中に含まれるリモナイトの量が０．１％であるペットフードが知られている（例えば特許文献１参照）。
一方、ペットフードにおからを配合して、おからが有する食物繊維によって便通をよくするとともに糞便臭気を抑制させることが行われている（例えば特許文献２参照）。
【先行技術文献】
【特許文献】
【０００３】
【特許文献１】特開２００６−５１０２２号公報
【特許文献２】特開２００６−９４７９３号公報
【発明の概要】
【発明が解決しようとする課題】
【０００４】
従来の犬用ボーロは水分含有量が低いためビスケット等の他の犬用焼菓子と比較して嗜好性があまり高くなかった。
従って、本発明の目的は、嗜好性の高い犬用ボーロを提供することである。
【課題を解決するための手段】
【０００５】
本発明者らは前記の目的を達成するために鋭意研究を重ねた結果、ボーロの原料におからを使用することにより水分含有量を高めた嗜好性の高い犬用ボーロを製造できることを見出し、本発明を完成するに至った。
従って、本発明は、原料中澱粉及び／又は穀粉を３７．９質量％以上５０質量％以下含み、且つ、澱粉及び／又は穀粉１００質量部に対して、液状卵８質量部以上８５質量部以下、おから３質量部以上５０質量部以下及びグリセリン１０質量部以上２０質量部以下を含む原料を使用した犬用ボーロである。
なお、本発明において原料とは、ボーロ用の生地を調製するために使用する全ての原料をいい、例えば、生地を調製するときに加水した場合はその加水も含む。
【発明の効果】
【０００６】
本発明の犬用ボーロは、柔らかくしっとりとした食感なので、嗜好性が高く小型犬や老齢犬でも食しやすく食べカスが出にくい。
また、製造工程では生地のまとまりが良く作業性がよい。
また、製品水分含有量が高いため従来の犬用ボーロより製品歩留が高い。
【発明を実施するための形態】
【０００７】
以下、本発明を詳細に説明する。
本発明において使用する澱粉及び／又は穀粉は、従来の食用又はペット用ボーロに使用されているものであれば特に限定なく使用でき、例えば、小麦粉、大麦粉、とうもろこし粉、はと麦粉、ライ麦粉、カラス麦粉末等の穀粉や馬鈴薯澱粉、小麦澱粉、タピオカ澱粉、コーンスターチ等の澱粉を挙げることができる。
これらの澱粉及び／又は穀粉は１種又は２種以上を組み合わせて使用することができる。
澱粉及び／又は穀粉の使用量は、原料中３５質量部以上５５質量部以下である。
３５質量部未満では生地の成形が困難になり、５５質量部以下を超えるとしっとりとした食感がでない。
【０００８】
本発明において使用する液状卵は、液体状の卵であれば特に限定なく使用でき粉末状に加工している卵は加水して液状にして使用できる。
使用できる卵としては、例えば、全卵、卵黄、卵白、加塩全卵、加塩卵黄、加糖全卵、加糖卵黄、加糖卵白、凍結全卵、凍結卵黄、凍結卵白、凍結加糖全卵、凍結加糖卵黄、凍結加糖卵白、酵素処理全卵、酵素処理卵黄、粉末全卵、粉末卵黄、粉末卵白を挙げることができる。
液状卵の使用量は、澱粉及び／又は穀粉１００質量部に対して８質量部以上８５質量部以下である。
なお、本発明において液状卵の使用量は水分値を４５質量％に換算したときの値である。
液状卵の使用量が８質量部未満では、生地の成形が困難になり、８５質量部を超えると生地が柔らかくなりすぎてしまう。
【０００９】
本発明において使用できるおからには特に限定はなく粉末状のおからパウダーや生おからなどが使用できる。
おからの使用量は澱粉及び／又は穀粉１００質量部に対して、３質量部以上５０質量部以下である。
なお、本発明においておからの使用量はその水分値を１０質量％に換算した値である。
おからの使用量が３質量部未満では柔らかな食感を出せず５０質量部を超えると生地に粘りがなく成型困難となる。
【００１０】
ボーロの主成分である澱粉及び／又は穀粉は吸水率が低く加水量を増加させることが困難であり、製品サイズが小さいため焼成時に水分が蒸発しやすく水分を多く含んだしっとりとしたボーロを作ることが難しかった。
本発明では、原料に吸水力・保水力の高いおからを使用することで加水量を増加させ、さらに、おからの保水力により焼成時に水分を蒸発し難くしたので柔らかな食感のボーロを得ることができる。
【００１１】
本発明の犬用ボーロには必要に応じて糖類、膨張剤、グリセリンなどを使用することができる。
使用できる糖類は、従来の食用又はペット用ボーロに使用されているものであれば特に限定はなく、例えば、単糖、二糖、三糖、多糖、オリゴ糖、糖アルコール、水あめ、はちみつ等を挙げることができる。
糖類の配合比率は、澱粉及び／穀粉１００質量部に対して、３〜７５質量部が好ましく、  ７５質量部を超えるとかたい食感となる。
使用できる膨張剤は、従来の食用又はペット用ボーロに使用されているものであれば特に限定はなく、例えば、重曹、ベーキングパウダー等を挙げることができる。
膨張剤の配合率は、澱粉及び／穀粉１００質量部に対して１〜３質量部が好ましい。
グリセリンの配合率は、澱粉及び／又は穀粉１００質量部に対して、２〜３０質量部が好ましい。
【実施例】
【００１２】
以下本発明を実施例により具体的に説明するが、本発明はこれらの実施例に限定されるものではない。
［実施例１〜３、比較例１〜５］
表１に示す配合の原料を低速で１０分間縦型ミキサーを使用してミキシングし生地を調製し室温で２４時間熟成させた。
なお、表１のおからパウダーの水分値は１０質量％、液卵の水分値は４５％であった。
前記熟成した生地を低速で１０分間縦型ミキサーを使用してミキシングした後、厚さ１５ｍｍのシート状に伸ばし、縦８ｍｍ横８ｍｍのサイコロ状に切断して、ドラムで５分間転がし丸く成形した。
前記成形した生地を２４０℃で５分間連続式オーブンを使用して焼成して犬用ボーロを得た。
犬用ボーロの水分値は比較例１は６．８質量％、実施例１は１１．９質量％、実施例２は１４．１質量％であった。
水分含有量の測定は１３５℃、1時間常圧乾燥法で行った。
【００１３】
【表１】
0005669493.tif 000002
【００１４】
得られたボーロの作業性評価及び嗜好性の確認は以下のとおり行った。
［作業性評価］
作業性（成形性・保形性）をパネラー１０名により以下の基準で評価した。
５点  生地の繋がりが非常に良い
４点  生地の繋がりが良い
３点  普通
２点  生地の繋がりが悪い
１点  生地が非常に崩れやすい
［嗜好性の確認］
嗜好性試験は、２０頭の犬を１頭ずつ分離して個々の犬舎に収容し、それぞれの犬に、前記犬用ボーロを別々の餌皿に同じ量で入れて午後２時から午後４時まで摂餌させる「二者択一」で行った。
同じ試験を２日間実施し摂取した犬用ボーロの全量に対する犬用ボーロの摂取量（質量％）の平均値を求めこれを嗜好性の評価指標とした。
結果を表２に示す。
【００１５】
【表２】
0005669493.tif 000003
【００１６】
実施例１〜６は、作業性及び嗜好性に優れていた。
比較例２は、嗜好性は優れていたが作業性が悪いため全体としては劣っていた。
比較例５は、作業性は良いが嗜好性が悪いため全体としては劣っていた。
その他の比較例は作業性と嗜好性がともに劣っていた。